(57)【要約】【課題】解消する。【解決手段】着信先の変更に関する情報を加入者サーバ１および変更先の呼接続サーバ２（呼接続サーバＩＤ「＃１」の呼接続サーバ２）に保持する。よって、変更元の呼接続サーバ２（呼接続サーバＩＤ「＃２」の呼接続サーバ２）が被災した場合であっても、呼を変更先の電話端末４（電話番号「０１２３」の電話端末４）に着信させることができる。【選択図】図１
2014049927.tif 000002
【特許請求の範囲】
【請求項１】
加入者サーバと複数の呼接続サーバを含む電話システムであって、
前記加入者サーバは、
電話番号ならびに該電話番号の電話端末が収容された呼接続サーバの呼接続サーバＩＤを含むレコードが記憶される加入者サーバデータベースと、
呼の着信先電話番号とは別の電話番号である転送先電話番号の電話端末に当該呼を着信させる場合の当該着信先電話番号である変更元電話番号ならびに当該転送先電話番号である変更先電話番号を含む着信設定変更依頼を受信したなら、前記加入者サーバデータベースから当該変更先電話番号に一致する電話番号を含むレコードを検索し、当該レコードから呼接続サーバＩＤを読み出し、前記加入者サーバデータベースの当該変更元電話番号に一致する電話番号を含むレコードに当該呼接続サーバＩＤを一次登録先呼接続サーバＩＤとして含ませるとともに、当該呼接続サーバＩＤの呼接続サーバに対し当該着信設定変更依頼を送信し、呼の着信先電話番号を含む問い合わせを呼接続サーバから受信したなら、前記加入者サーバデータベースの当該着信先電話番号に一致する電話番号を含むレコードに一次登録先呼接続サーバＩＤがあれば、当該一次登録先呼接続サーバＩＤを読み出し、一方、一次登録先呼接続サーバＩＤがなければ、当該レコードから呼接続サーバＩＤを読み出し、当該呼接続サーバＩＤまたは一次登録先呼接続サーバＩＤを含む回答を当該呼接続サーバに送信する加入者サーバデータベース処理部とを備え、
前記各呼接続サーバは、
該呼接続サーバに収容された電話端末を区別するための端末位置情報と当該電話端末の電話番号を含むレコードが記憶される呼接続サーバデータベースと、
当該呼接続サーバに収容された電話端末から呼を受信したなら、呼の着信先電話番号を含む問い合わせを前記加入者サーバに送信し、当該加入者サーバから回答を受信し、当該回答内の呼接続サーバＩＤまたは一次登録先呼接続サーバＩＤの呼接続サーバに向けて呼を転送し、一方、他の呼接続サーバから呼を受信したなら、前記呼接続サーバデータベースから、呼の着信先電話番号に一致する電話番号を含むレコードを検索し、端末位置情報を読み出し、当該端末位置情報の電話端末に呼を着信させる呼制御部と、
前記着信設定変更依頼を受信したなら、当該着信設定変更依頼から変更先電話番号および変更元電話番号を読み出し、前記呼接続サーバデータベースから当該変更先電話番号に一致する電話番号を含むレコード内の端末位置情報を読み出し、前記呼接続サーバデータベースに、当該変更元電話番号に一致する電話番号と当該端末位置情報を含むレコードを記憶させる呼接続サーバデータベース更新部とを備える
ことを特徴とする電話システム。
【請求項２】
前記呼接続サーバは、
前記読み出した端末位置情報に対応する電話端末への操作による当該電話端末からの通知により、当該電話端末から発信による呼の発信元電話番号として当該変更元電話番号を設定できるようになっている
ことを特徴とする請求項１記載の電話システム。
【請求項３】
前記加入者サーバデータベース処理部は、
前記変更元電話番号を含む着信設定変更解除依頼を受信したなら、前記加入者サーバデータベースから当該変更元電話番号に一致する電話番号を含むレコードを検索し、当該レコード内の一次登録先呼接続サーバＩＤを削除し、当該一次登録先呼接続サーバＩＤの呼接続サーバに対し当該着信設定変更解除依頼を送信し、
前記呼接続サーバデータベース更新部は、
前記着信設定変更解除依頼を受信したなら、当該着信設定変更解除依頼から変更元電話番号を読み出し、前記呼接続サーバデータベースから当該変更元電話番号に一致する電話番号を含むレコードを削除する
ことを特徴とする請求項１記載の電話システム。
【請求項４】
前記加入者サーバデータベース処理部は、
前記一次登録先呼接続サーバＩＤをレコードに含ませた際に当該レコードに有効期限を含ませ、当該有効期限に対応する時期が到来したなら、前記加入者サーバデータベースから当該有効期限を含むレコード内の電話番号と一次登録先呼接続サーバＩＤを読み出し、当該一次登録先呼接続サーバＩＤの呼接続サーバに対し当該電話番号を変更元電話番号として含む着信設定変更解除依頼を送信し、当該レコードから当該一次登録先呼接続サーバＩＤと有効期限を削除し、
前記呼接続サーバデータベース更新部は、
前記着信設定変更解除依頼を受信したなら、当該着信設定変更解除依頼から変更元電話番号を読み出し、前記呼接続サーバデータベースから当該変更元電話番号に一致する電話番号を含むレコードを削除する
ことを特徴とする請求項１記載の電話システム。
【請求項５】
請求項１記載の電話システムとともに使用される電話端末であって、
前記電話端末から発信による呼の発信元電話番号として変更元電話番号を設定するための呼接続サーバへの通知を当該電話端末への操作によりに行うことができるようになっていることを特徴とする電話端末。
【請求項６】
加入者サーバと複数の呼接続サーバを含む電話システムの当該加入者サーバであって、
前記加入者サーバは、
電話番号ならびに該電話番号の電話端末が収容された呼接続サーバの呼接続サーバＩＤを含むレコードが記憶される加入者サーバデータベースと、
呼の着信先電話番号とは別の電話番号である転送先電話番号の電話端末に当該呼を着信させる場合の当該着信先電話番号である変更元電話番号ならびに当該転送先電話番号である変更先電話番号を含む着信設定変更依頼を受信したなら、前記加入者サーバデータベースから当該変更先電話番号に一致する電話番号を含むレコードを検索し、当該レコードから呼接続サーバＩＤを読み出し、前記加入者サーバデータベースの当該変更元電話番号に一致する電話番号を含むレコードに当該呼接続サーバＩＤを一次登録先呼接続サーバＩＤとして含ませるとともに、当該呼接続サーバＩＤの呼接続サーバに対し当該着信設定変更依頼を送信し、呼の着信先電話番号を含む問い合わせを呼接続サーバから受信したなら、前記加入者サーバデータベースの当該着信先電話番号に一致する電話番号を含むレコードに一次登録先呼接続サーバＩＤがあれば、当該一次登録先呼接続サーバＩＤを読み出し、一方、一次登録先呼接続サーバＩＤがなければ、当該レコードから呼接続サーバＩＤを読み出し、当該呼接続サーバＩＤまたは一次登録先呼接続サーバＩＤを含む回答を当該呼接続サーバに送信する加入者サーバデータベース処理部とを備え、
前記各呼接続サーバは、
該呼接続サーバに収容された電話端末を区別するための端末位置情報と当該電話端末の電話番号を含むレコードが記憶される呼接続サーバデータベースと、
当該呼接続サーバに収容された電話端末から呼を受信したなら、呼の着信先電話番号を含む問い合わせを前記加入者サーバに送信し、当該加入者サーバから回答を受信し、当該回答内の呼接続サーバＩＤまたは一次登録先呼接続サーバＩＤの呼接続サーバに向けて呼を転送し、一方、他の呼接続サーバから呼を受信したなら、前記呼接続サーバデータベースから、呼の着信先電話番号に一致する電話番号を含むレコードを検索し、端末位置情報を読み出し、当該端末位置情報の電話端末に呼を着信させる呼制御部と、
前記着信設定変更依頼を受信したなら、当該着信設定変更依頼から変更先電話番号および変更元電話番号を読み出し、前記呼接続サーバデータベースから当該変更先電話番号に一致する電話番号を含むレコード内の端末位置情報を読み出し、前記呼接続サーバデータベースに、当該変更元電話番号に一致する電話番号と当該端末位置情報を含むレコードを記憶させる呼接続サーバデータベース更新部とを備える
ことを特徴とする電話システムの加入者サーバ。
【請求項７】
加入者サーバと複数の呼接続サーバを含む電話システムの当該呼接続サーバであって、
前記加入者サーバは、
電話番号ならびに該電話番号の電話端末が収容された呼接続サーバの呼接続サーバＩＤを含むレコードが記憶される加入者サーバデータベースと、
呼の着信先電話番号とは別の電話番号である転送先電話番号の電話端末に当該呼を着信させる場合の当該着信先電話番号である変更元電話番号ならびに当該転送先電話番号である変更先電話番号を含む着信設定変更依頼を受信したなら、前記加入者サーバデータベースから当該変更先電話番号に一致する電話番号を含むレコードを検索し、当該レコードから呼接続サーバＩＤを読み出し、前記加入者サーバデータベースの当該変更元電話番号に一致する電話番号を含むレコードに当該呼接続サーバＩＤを一次登録先呼接続サーバＩＤとして含ませるとともに、当該呼接続サーバＩＤの呼接続サーバに対し当該着信設定変更依頼を送信し、呼の着信先電話番号を含む問い合わせを呼接続サーバから受信したなら、前記加入者サーバデータベースの当該着信先電話番号に一致する電話番号を含むレコードに一次登録先呼接続サーバＩＤがあれば、当該一次登録先呼接続サーバＩＤを読み出し、一方、一次登録先呼接続サーバＩＤがなければ、当該レコードから呼接続サーバＩＤを読み出し、当該呼接続サーバＩＤまたは一次登録先呼接続サーバＩＤを含む回答を当該呼接続サーバに送信する加入者サーバデータベース処理部とを備え、
前記呼接続サーバは、
該呼接続サーバに収容された電話端末を区別するための端末位置情報と当該電話端末の電話番号を含むレコードが記憶される呼接続サーバデータベースと、
当該呼接続サーバに収容された電話端末から呼を受信したなら、呼の着信先電話番号を含む問い合わせを前記加入者サーバに送信し、当該加入者サーバから回答を受信し、当該回答内の呼接続サーバＩＤまたは一次登録先呼接続サーバＩＤの呼接続サーバに向けて呼を転送し、一方、他の呼接続サーバから呼を受信したなら、前記呼接続サーバデータベースから、呼の着信先電話番号に一致する電話番号を含むレコードを検索し、端末位置情報を読み出し、当該端末位置情報の電話端末に呼を着信させる呼制御部と、
前記着信設定変更依頼を受信したなら、当該着信設定変更依頼から変更先電話番号および変更元電話番号を読み出し、前記呼接続サーバデータベースから当該変更先電話番号に一致する電話番号を含むレコード内の端末位置情報を読み出し、前記呼接続サーバデータベースに、当該変更元電話番号に一致する電話番号と当該端末位置情報を含むレコードを記憶させる呼接続サーバデータベース更新部とを備える
ことを特徴とする電話システムの呼接続サーバ。
【請求項８】
請求項５記載の電話端末または請求項６記載の加入者サーバまたは請求項７記載の呼接続サーバとしてコンピュータを機能させるためのコンピュータプログラム。
【発明の詳細な説明】
【技術分野】
【０００１】
本発明は、着信先の変更に伴う接続遅延時間の伸長、接続経路の無効利用を防止するための電話システム、電話端末、加入者サーバおよび呼接続サーバに関するものである。
【背景技術】
【０００２】
NGNや移動体網でなどで電話サービスを提供するための標準的な規定として、IMS(IP Multimedia Subsystem)を用いた方式がある（非特許文献１を参照）。
【０００３】
本方式では、電話端末が電話の発着信を行なうためには、電話端末が収容される呼接続サーバ（CSCF: Call Session Control Function）に加入者データが登録されている必要がある。
【０００４】
本方式を用いた通信網の環境において、固定通信網において別の端末に着信させる手段として、着信転送サービスがある。東日本電信電話株式会社（NTT東日本）ではボイスワープと呼ぶ着信転送サービスを提供している（非特許文献２を参照）。
【０００５】
本サービスでは、転送元の電話端末からダイヤル操作により転送先の電話端末を指定する操作により着信呼が転送される。また、ダイヤルによる解除操作により転送機能が解除される。外出時などに対応するため、別の電話によるダイヤル操作により転送の開始、停止、転送先の変更設定を可能とし、また、インタネットを利用できるPCや携帯電話からwebブラウザを用いた操作も可能である。
【０００６】
着信転送サービスでは、電話呼は加入者データを持つ呼接続サーバ、すなわち、転送元の着信電話端末を収容する呼接続サーバまで接続され、ここで指定された転送先へ転送される。従って、震災等の被災時には呼接続サーバも被災する可能性があり、震災時に電話端末が使えなくなった場合に他の電話端末に転送することで電話サービスの利用を確保するような使い方が出来なくなるケースがある。また、電話端末を収容する呼接続サーバまで呼の接続が到達してから転送を行うため、接続遅延時間の伸長、接続経路の無効利用を生じさせる問題がある。
【先行技術文献】
【非特許文献】
【０００７】
【非特許文献１】IP Multimedia Subsystem (IMS), 3GPP TS 23.228
【非特許文献２】ボイスワープ、［ｏｎｌｉｎｅ］、［平成２４年８月２０日検索］、インターネット＜ＵＲＬ：http://flets.com/hikaridenwa/use/pdf/voice.pdf＞
【発明の概要】
【発明が解決しようとする課題】
【０００８】
着信転送サービスでは、電話呼は加入者データを持つ呼接続サーバ、すなわち、転送元の着信電話端末を収容する呼接続サーバまで接続され、ここで指定された転送先へ転送される。電話端末は同じエリアや近隣エリアに配置される呼接続サーバに収容される。従って、震災等の被災時には呼接続サーバも被災する可能性があり、震災時に電話端末が使えなくなった場合に他の電話端末に転送することで電話サービスの利用を確保するような使い方が出来なくなるケースがある。また、電話端末を収容する呼接続サーバまで呼の接続が到達してから転送を行うため、接続遅延時間の伸長、接続経路の無効利用を生じさせる問題がある。
【０００９】
本発明は、上記の課題に鑑みてなされたものであり、その目的とするところは、着信先の変更に伴う接続遅延時間の伸長、接続経路の無効利用を防止することにある。
【課題を解決するための手段】
【００１０】
上記の課題を解決するために、第１の本発明は、加入者サーバと複数の呼接続サーバを含む電話システムであって、前記加入者サーバは、電話番号ならびに該電話番号の電話端末が収容された呼接続サーバの呼接続サーバＩＤを含むレコードが記憶される加入者サーバデータベースと、呼の着信先電話番号とは別の電話番号である転送先電話番号の電話端末に当該呼を着信させる場合の当該着信先電話番号である変更元電話番号ならびに当該転送先電話番号である変更先電話番号を含む着信設定変更依頼を受信したなら、前記加入者サーバデータベースから当該変更先電話番号に一致する電話番号を含むレコードを検索し、当該レコードから呼接続サーバＩＤを読み出し、前記加入者サーバデータベースの当該変更元電話番号に一致する電話番号を含むレコードに当該呼接続サーバＩＤを一次登録先呼接続サーバＩＤとして含ませるとともに、当該呼接続サーバＩＤの呼接続サーバに対し当該着信設定変更依頼を送信し、呼の着信先電話番号を含む問い合わせを呼接続サーバから受信したなら、前記加入者サーバデータベースの当該着信先電話番号に一致する電話番号を含むレコードに一次登録先呼接続サーバＩＤがあれば、当該一次登録先呼接続サーバＩＤを読み出し、一方、一次登録先呼接続サーバＩＤがなければ、当該レコードから呼接続サーバＩＤを読み出し、当該呼接続サーバＩＤまたは一次登録先呼接続サーバＩＤを含む回答を当該呼接続サーバに送信する加入者サーバデータベース処理部とを備え、前記各呼接続サーバは、該呼接続サーバに収容された電話端末を区別するための端末位置情報と当該電話端末の電話番号を含むレコードが記憶される呼接続サーバデータベースと、当該呼接続サーバに収容された電話端末から呼を受信したなら、呼の着信先電話番号を含む問い合わせを前記加入者サーバに送信し、当該加入者サーバから回答を受信し、当該回答内の呼接続サーバＩＤまたは一次登録先呼接続サーバＩＤの呼接続サーバに向けて呼を転送し、一方、他の呼接続サーバから呼を受信したなら、前記呼接続サーバデータベースから、呼の着信先電話番号に一致する電話番号を含むレコードを検索し、端末位置情報を読み出し、当該端末位置情報の電話端末に呼を着信させる呼制御部と、前記着信設定変更依頼を受信したなら、当該着信設定変更依頼から変更先電話番号および変更元電話番号を読み出し、前記呼接続サーバデータベースから当該変更先電話番号に一致する電話番号を含むレコード内の端末位置情報を読み出し、前記呼接続サーバデータベースに、当該変更元電話番号に一致する電話番号と当該端末位置情報を含むレコードを記憶させる呼接続サーバデータベース更新部とを備えることを特徴とする。
【００１１】
例えば、前記呼接続サーバは、前記読み出した端末位置情報に対応する電話端末への操作による当該電話端末からの通知により、当該電話端末から発信による呼の発信元電話番号として当該変更元電話番号を設定できるようになっている。
【００１２】
例えば、前記加入者サーバデータベース処理部は、前記変更元電話番号を含む着信設定変更解除依頼を受信したなら、前記加入者サーバデータベースから当該変更元電話番号に一致する電話番号を含むレコードを検索し、当該レコード内の一次登録先呼接続サーバＩＤを削除し、当該一次登録先呼接続サーバＩＤの呼接続サーバに対し当該着信設定変更解除依頼を送信し、前記呼接続サーバデータベース更新部は、前記着信設定変更解除依頼を受信したなら、当該着信設定変更解除依頼から変更元電話番号を読み出し、前記呼接続サーバデータベースから当該変更元電話番号に一致する電話番号を含むレコードを削除する
。
【００１３】
例えば、前記加入者サーバデータベース処理部は、前記一次登録先呼接続サーバＩＤをレコードに含ませた際に当該レコードに有効期限を含ませ、当該有効期限に対応する時期が到来したなら、前記加入者サーバデータベースから当該有効期限を含むレコード内の電話番号と一次登録先呼接続サーバＩＤを読み出し、当該一次登録先呼接続サーバＩＤの呼接続サーバに対し当該電話番号を変更元電話番号として含む着信設定変更解除依頼を送信し、当該レコードから当該一次登録先呼接続サーバＩＤと有効期限を削除し、前記呼接続サーバデータベース更新部は、前記着信設定変更解除依頼を受信したなら、当該着信設定変更解除依頼から変更元電話番号を読み出し、前記呼接続サーバデータベースから当該変更元電話番号に一致する電話番号を含むレコードを削除する。
【００１４】
例えば、電話システムとともに使用される電話端末は、前記電話端末から発信による呼の発信元電話番号として変更元電話番号を設定するための呼接続サーバへの通知を当該電話端末への操作によりに行うことができるようになっている。
【００１５】
第２の本発明は、加入者サーバと複数の呼接続サーバを含む電話システムの当該加入者サーバであって、前記加入者サーバは、電話番号ならびに該電話番号の電話端末が収容された呼接続サーバの呼接続サーバＩＤを含むレコードが記憶される加入者サーバデータベースと、呼の着信先電話番号とは別の電話番号である転送先電話番号の電話端末に当該呼を着信させる場合の当該着信先電話番号である変更元電話番号ならびに当該転送先電話番号である変更先電話番号を含む着信設定変更依頼を受信したなら、前記加入者サーバデータベースから当該変更先電話番号に一致する電話番号を含むレコードを検索し、当該レコードから呼接続サーバＩＤを読み出し、前記加入者サーバデータベースの当該変更元電話番号に一致する電話番号を含むレコードに当該呼接続サーバＩＤを一次登録先呼接続サーバＩＤとして含ませるとともに、当該呼接続サーバＩＤの呼接続サーバに対し当該着信設定変更依頼を送信し、呼の着信先電話番号を含む問い合わせを呼接続サーバから受信したなら、前記加入者サーバデータベースの当該着信先電話番号に一致する電話番号を含むレコードに一次登録先呼接続サーバＩＤがあれば、当該一次登録先呼接続サーバＩＤを読み出し、一方、一次登録先呼接続サーバＩＤがなければ、当該レコードから呼接続サーバＩＤを読み出し、当該呼接続サーバＩＤまたは一次登録先呼接続サーバＩＤを含む回答を当該呼接続サーバに送信する加入者サーバデータベース処理部とを備え、前記各呼接続サーバは、該呼接続サーバに収容された電話端末を区別するための端末位置情報と当該電話端末の電話番号を含むレコードが記憶される呼接続サーバデータベースと、当該呼接続サーバに収容された電話端末から呼を受信したなら、呼の着信先電話番号を含む問い合わせを前記加入者サーバに送信し、当該加入者サーバから回答を受信し、当該回答内の呼接続サーバＩＤまたは一次登録先呼接続サーバＩＤの呼接続サーバに向けて呼を転送し、一方、他の呼接続サーバから呼を受信したなら、前記呼接続サーバデータベースから、呼の着信先電話番号に一致する電話番号を含むレコードを検索し、端末位置情報を読み出し、当該端末位置情報の電話端末に呼を着信させる呼制御部と、前記着信設定変更依頼を受信したなら、当該着信設定変更依頼から変更先電話番号および変更元電話番号を読み出し、前記呼接続サーバデータベースから当該変更先電話番号に一致する電話番号を含むレコード内の端末位置情報を読み出し、前記呼接続サーバデータベースに、当該変更元電話番号に一致する電話番号と当該端末位置情報を含むレコードを記憶させる呼接続サーバデータベース更新部とを備えることを特徴とする。
【００１６】
第３の本発明は、加入者サーバと複数の呼接続サーバを含む電話システムの当該呼接続サーバであって、前記加入者サーバは、電話番号ならびに該電話番号の電話端末が収容された呼接続サーバの呼接続サーバＩＤを含むレコードが記憶される加入者サーバデータベースと、呼の着信先電話番号とは別の電話番号である転送先電話番号の電話端末に当該呼を着信させる場合の当該着信先電話番号である変更元電話番号ならびに当該転送先電話番号である変更先電話番号を含む着信設定変更依頼を受信したなら、前記加入者サーバデータベースから当該変更先電話番号に一致する電話番号を含むレコードを検索し、当該レコードから呼接続サーバＩＤを読み出し、前記加入者サーバデータベースの当該変更元電話番号に一致する電話番号を含むレコードに当該呼接続サーバＩＤを一次登録先呼接続サーバＩＤとして含ませるとともに、当該呼接続サーバＩＤの呼接続サーバに対し当該着信設定変更依頼を送信し、呼の着信先電話番号を含む問い合わせを呼接続サーバから受信したなら、前記加入者サーバデータベースの当該着信先電話番号に一致する電話番号を含むレコードに一次登録先呼接続サーバＩＤがあれば、当該一次登録先呼接続サーバＩＤを読み出し、一方、一次登録先呼接続サーバＩＤがなければ、当該レコードから呼接続サーバＩＤを読み出し、当該呼接続サーバＩＤまたは一次登録先呼接続サーバＩＤを含む回答を当該呼接続サーバに送信する加入者サーバデータベース処理部とを備え、前記呼接続サーバは、該呼接続サーバに収容された電話端末を区別するための端末位置情報と当該電話端末の電話番号を含むレコードが記憶される呼接続サーバデータベースと、当該呼接続サーバに収容された電話端末から呼を受信したなら、呼の着信先電話番号を含む問い合わせを前記加入者サーバに送信し、当該加入者サーバから回答を受信し、当該回答内の呼接続サーバＩＤまたは一次登録先呼接続サーバＩＤの呼接続サーバに向けて呼を転送し、一方、他の呼接続サーバから呼を受信したなら、前記呼接続サーバデータベースから、呼の着信先電話番号に一致する電話番号を含むレコードを検索し、端末位置情報を読み出し、当該端末位置情報の電話端末に呼を着信させる呼制御部と、前記着信設定変更依頼を受信したなら、当該着信設定変更依頼から変更先電話番号および変更元電話番号を読み出し、前記呼接続サーバデータベースから当該変更先電話番号に一致する電話番号を含むレコード内の端末位置情報を読み出し、前記呼接続サーバデータベースに、当該変更元電話番号に一致する電話番号と当該端末位置情報を含むレコードを記憶させる呼接続サーバデータベース更新部とを備えることを特徴とする。
【発明の効果】
【００１７】
本発明によれば、着信先の変更に伴う接続遅延時間の伸長、接続経路の無効利用を防止することができる。
【図面の簡単な説明】
【００１８】
【図１】本実施の形態に係る電話システムの構成図である。
【図２】加入者サーバ１の構成を示すブロック図である。
【図３】各呼接続サーバ２の構成を示すブロック図である。
【図４】電話システムを用いた電話サービスに加入者が加入した場合の動作を示すシーケンス図である。
【図５】電話システムにおいて呼を着信させる動作を示すシーケンス図である。
【図６】電話システムにおいて着信設定を変更する動作を示すシーケンス図である。
【図７】電話システムにおいて着信設定の変更を解除する動作を示すシーケンス図である。
【発明を実施するための形態】
【００１９】
以下、本発明の実施の形態について図面を参照して説明する。
【００２０】
図１は、本実施の形態に係る電話システムの構成図である。  
電話システムは、加入者サーバ１と加入者サーバ１に通信回線で接続された複数の呼接続サーバ２および認証サーバ３を含む電話システムである。複数の呼接続サーバ２どうしは、例えば、網状に接続されている。つまり、複数の呼接続サーバ２の中の２つは、直接または１つ以上の呼接続サーバ２を介して間接的に接続される。また、各呼接続サーバ２は、複数の電話端末４を収容（接続）している。
【００２１】
例えば、呼接続サーバ２を区別するための呼接続サーバＩＤ「＃１」を割り当てられた呼接続サーバ２には、電話番号「０１２３」を割り当てられた電話端末４および他の電話端末４が収容されている。以下、このような呼接続サーバＩＤと呼接続サーバ２の対応については、「呼接続サーバＩＤ「＃１」の呼接続サーバ２」、「呼接続サーバ２の呼接続サーバＩＤ「＃１」」のように表現する。また、このような電話番号と電話端末４の対応については、「電話番号「０１２３」の電話端末４」、「電話端末４の電話番号「０１２３」」のように表現する。
【００２２】
また、別の呼接続サーバＩＤ「＃２」の呼接続サーバ２には、電話番号「４５６７」の電話端末４および他の電話端末４が収容されている。  
認証サーバ３は、電話端末４や図示しないパーソナルコンピュータや携帯電話のウェブブラウザから接続可能となっている。
【００２３】
図２は、加入者サーバ１の構成を示すブロック図である。  
加入者サーバ１は、加入者サーバデータベース１１と加入者サーバデータベース処理部１２を備える。
【００２４】
加入者サーバデータベース１１には、電話番号ならびに該電話番号の電話端末が収容された呼接続サーバの呼接続サーバＩＤを含むレコードが記憶される。
【００２５】
電話番号「０１２３」を含むレコードには、呼接続サーバＩＤ「＃１」が含まれるが、これは、図１に示すように、電話番号「０１２３」の電話端末４が、呼接続サーバＩＤ「＃１」の呼接続サーバ２に収容されていることを示す。
【００２６】
また、電話番号「４５６７」を含むレコードには、呼接続サーバＩＤ「＃２」が含まれるが、これは、図１に示すように、電話番号「４５６７」の電話端末４が、呼接続サーバＩＤ「＃２」の呼接続サーバ２に収容されていることを示す。
【００２７】
さらに、レコードは、一次登録先呼接続サーバＩＤや有効期限を含むことがある。
【００２８】
電話番号「４５６７」を含むレコードには、一次登録先呼接続サーバＩＤ「＃１」が含まれるが、これは、電話番号「４５６７」の電話端末４の代わりに呼を着信する電話端末４が、一次登録先呼接続サーバＩＤ「＃１」の呼接続サーバ２に収容されていることを示す。
【００２９】
また、電話番号「４５６７」を含むレコードには、有効期限「２／２８  １５：００」が含まれるが、これは、電話番号「４５６７」の電話端末４でない別の電話端末４が呼を代わりに着信することを、有効期限「２／２８  １５：００」まで行うことを示している。
【００３０】
加入者サーバデータベース処理部１２は、このような加入者サーバデータベース１１にレコードを記憶させることやレコードの更新などを行う。また、加入者サーバデータベース処理部１２は、呼接続サーバ２からの問い合わせに対し、加入者サーバデータベース１１を用いて回答を行う。
【００３１】
図３は、各呼接続サーバ２の構成を示すブロック図である。  
呼接続サーバ２は、呼接続サーバデータベース２１と呼制御部２２と呼接続サーバデータベース更新部２３とを備える。
【００３２】
呼接続サーバデータベース２１には、該呼接続サーバデータベース２１を含む呼接続サーバ２に収容された電話端末４を区別するための端末位置情報と当該電話端末４の電話番号を含むレコードが記憶される。
【００３３】
端末位置情報「端末Ａ」を含む２つのレコードの一方には、電話番号「０１２３」が含まれるが、これは、電話番号「０１２３」の電話端末４が、端末位置情報「端末Ａ」により、他の電話端末４と区別されることを示している。
【００３４】
また、端末位置情報「端末Ａ」を含む２つのレコードの他方には、電話番号「４５６７」が含まれるが、これは、電話番号「４５６７」の電話端末４の代わりに呼を着信する電話端末４は、端末位置情報「端末Ａ」により、他の電話端末４と区別されることを示している。つまり、電話番号「４５６７」の電話端末４の代わりに呼を着信する電話端末４は、電話番号「０１２３」の電話端末４なのである。
【００３５】
呼制御部２２は、このような呼接続サーバデータベース２１を利用して、呼の着信先端末の特定を行う。
【００３６】
呼接続サーバデータベース更新部２３は、このような呼接続サーバデータベース２１にレコードを記憶させることやレコードの更新などを行う。
【００３７】
（電話システムの動作）
図４は、電話システムを用いた電話サービスに加入者が加入した場合の動作を示すシーケンス図である。
【００３８】
加入者サーバ１の加入者サーバデータベース処理部１２は、加入者が電話サービスに加入した際、当該加入者に使用される電話端末４の電話番号と当該電話端末４が収容された呼接続サーバの呼接続サーバＩＤを含むレコードを加入者サーバデータベース１１に記憶（登録）させる（Ｓ１）。
【００３９】
次に、加入者の電話端末４は、電源投入の際などに（Ｓ１１）、当該電話端末４が収容された呼接続サーバ２に登録信号を送信する（Ｓ１３）。
【００４０】
呼接続サーバ２の呼接続サーバデータベース更新部２３は、登録信号を受信したなら、加入者サーバ１に加入者データを要求する（Ｓ１５）。
【００４１】
加入者サーバ１の加入者サーバデータベース処理部１２は、要求を受信したなら、Ｓ１で記憶させたレコード内の電話番号を含む加入者データを呼接続サーバ２に送信する（Ｓ１７）。なお、加入者サーバデータベース処理部１２は、要求を送信した呼接続サーバ２の呼接続サーバＩＤがレコード内の呼接続サーバＩＤと異なる場合は、前者の呼接続ＩＤで後者の呼接続ＩＤを更新してもよい。
【００４２】
呼接続サーバ２の呼接続サーバデータベース更新部２３は、加入者データを受信したなら、電話番号を読み出し、Ｓ１３の登録信号を送信した電話端末を区別するための端末位置情報と当該電話番号を含むレコードを呼接続サーバデータベース２１に記憶させる（Ｓ１９）。
【００４３】
このようにして、加入者が増えるにしたがい、各加入者サーバデータベース１１、呼接続サーバデータベース２１には、レコードが記憶されていく。
【００４４】
図５は、電話システムにおいて呼を着信させる動作を示すシーケンス図である。  
例えば、ある電話端末４から発信があり、当該電話端末４を収容する呼接続サーバ２が呼を受信すると（Ｓ２１）、呼の着信先電話番号を含む問い合わせを加入者サーバ１に送信する（Ｓ２３）。
【００４５】
加入者サーバ１の加入者サーバデータベース処理部１２は、問い合わせを受信したなら、着信先電話番号を読み出し、加入者サーバデータベース１１のこの着信先電話番号に一致する電話番号を含むレコードに一次登録先呼接続サーバＩＤがあれば、当該一次登録先呼接続サーバＩＤを読み出し、一方、一次登録先呼接続サーバＩＤがなければ、当該レコードから呼接続サーバＩＤを読み出し、この呼接続サーバＩＤまたは一次登録先呼接続サーバＩＤを含む回答を呼接続サーバ２に送信する（Ｓ２５）。
【００４６】
呼接続サーバ２の呼制御部２２は、回答を受信し、回答内の呼接続サーバＩＤまたは一次登録先呼接続サーバＩＤの呼接続サーバ２に向けて呼を転送する（Ｓ２７）。
【００４７】
回答内の呼接続サーバＩＤまたは一次登録先呼接続サーバＩＤの呼接続サーバ２の呼制御部２２は、このように転送された呼を他の呼接続サーバ２から受信したなら、呼接続サーバデータベース２１から、呼の着信先電話番号に一致する電話番号を含むレコードを検索し、端末位置情報を読み出し、当該端末位置情報の電話端末４に呼を着信させる（Ｓ２９）。  
したがって、呼は結局は、その着信先電話番号の電話端末４に着信する。
【００４８】
図６は、電話システムにおいて着信設定を変更する動作を示すシーケンス図である。  
例えば、電話番号「４５６７」の電話端末４の地域が震災等で被災し、当該電話端末４のユーザが、電話番号「０１２３」の電話端末４が設置された親戚宅に避難する場合を考える。
【００４９】
この場合、電話番号「４５６７」を着信先電話番号とする呼を、電話番号「０１２３」の電話端末４に着信（転送）させる必要がある。
【００５０】
つまり、呼の着信先電話番号（上記例だと、電話番号「４５６７」）とは別の電話番号である転送先電話番号（上記例だと、電話番号「０１２３」）の電話端末４に当該呼を転送（着信）する必要がある。
【００５１】
このような場合、電話番号「４５６７」の電話端末４のユーザは、例えば、避難する前に、電話番号「４５６７」（呼の着信先電話番号）である変更元電話番号ならびに電話番号「０１２３」（転送先電話番号）である変更先電話番号を、電話番号「４５６７」の電話端末４に入力する（Ｓ３１）。
【００５２】
電話端末４は、入力された変更元電話番号「４５６７」と変更先電話番号「０１２３」を含む着信設定変更依頼を認証サーバ３に送信する（Ｓ３３）。
【００５３】
なお、転送先変更の特別番号にユーザが携帯電話などで接続し、ガイダンスを介して電話番号、変更先電話番号をダイヤル操作し、これにより、着信設定変更依頼が認証サーバ３に送信されるようにしてもよい。
【００５４】
なお、着信設定変更依頼は、例えば、避難する期間などに応じた有効期限（例えば、２／２８  １５：００）を含めてもよい。また、着信設定変更依頼は、パーソナルコンピュータや携帯電話のウェブブラウザから送信してもよい。
【００５５】
認証サーバ３は、着信設定変更依頼を受信し、認証を行う。認証方法は特には指定しない。認証サーバ３は、認証後、受信した着信設定変更依頼を加入者サーバ１に送信する（Ｓ３５）。
【００５６】
加入者サーバ１の加入者サーバデータベース処理部１２は、着信設定変更依頼を受信したなら、変更元電話番号「４５６７」と変更先電話番号「０１２３」を読み出し、加入者サーバデータベース１１から変更先電話番号「０１２３」に一致する電話番号を含むレコードを検索し、当該レコードから呼接続サーバＩＤ「＃１」を読み出し、加入者サーバデータベース１１の変更元電話番号「４５６７」に一致する電話番号を含むレコードに一次登録先呼接続サーバＩＤとして呼接続サーバＩＤ「＃１」を含ませるとともに（Ｓ３７）、一次登録先呼接続サーバＩＤ「＃１」の呼接続サーバ２に対し当該着信設定変更依頼を送信する（Ｓ３９）。
【００５７】
なお、Ｓ３７では、呼接続サーバデータベース更新部２３は、着信設定変更依頼に有効期限が含まれているなら、当該有効期限を当該レコードに含ませる。
【００５８】
Ｓ３９の着信設定変更依頼を受信した呼接続サーバ２の呼接続サーバデータベース更新部２３は、着信設定変更依頼から変更先電話番号「０１２３」および変更元電話番号「４５６７」を読み出し、呼接続サーバデータベース２１から変更先電話番号「０１２３」に一致する電話番号を含むレコード内の端末位置情報「端末Ａ」を読み出し、呼接続サーバデータベース２１に、変更元電話番号「４５６７」に一致する電話番号と端末位置情報「端末Ａ」を含むレコードを記憶させるとともに（Ｓ４１）、変更先電話番号「０１２３」の電話端末４に対し、着信設定変更を行ったことを通知する（Ｓ４３）。
【００５９】
例えば、電話端末４は、通知内容を自身のディスプレイに表示する。なお、電話端末４は、ディスプレイ付きのものとは限らず、よって、Ｓ４３は、実行しなくてもよい。
【００６０】
次に、図５を援用して、変更元電話番号「４５６７」を着信先電話番号とする呼が、変更先電話番号「０１２３」の電話端末４に着信する動作を説明する。
【００６１】
例えば、呼接続サーバＩＤ「＃１」、「＃２」以外の呼接続サーバＩＤの呼接続サーバ２に収容された電話端末４から発信があり、当該電話端末４を収容する呼接続サーバ２が呼を受信すると（Ｓ２１）、呼接続サーバ２の呼制御部２２は、呼の着信先電話番号「４５６７」を含む問い合わせを加入者サーバ１に送信する（Ｓ２３）。
【００６２】
加入者サーバ１は、加入者サーバデータベース１１に、この着信先電話番号「４５６７」に一致する電話番号を含むレコードがあり、このレコードに一次登録先呼接続サーバＩＤ「＃１」があるので、一次登録先呼接続サーバＩＤ「＃１」を読み出し、一次登録先呼接続サーバＩＤ「＃１」を含む回答を呼接続サーバ２に送信する（Ｓ２５）。
【００６３】
呼接続サーバ２の呼制御部２２は、回答を受信し、回答内の一次登録先呼接続サーバＩＤ「＃１」の呼接続サーバ２に向けて呼を転送する（Ｓ２７）。
【００６４】
一次登録先呼接続サーバＩＤ「＃１」の呼接続サーバ２の呼制御部２２は、呼接続サーバデータベース２１から、呼の着信先電話番号「４５６７」に一致する電話番号を含むレコードを検索し、端末位置情報「端末Ａ」を読み出し、端末位置情報「端末Ａ」に対応する電話端末４、つまり、電話番号「０１２３」の電話端末４に呼を着信させる（Ｓ２９）。
【００６５】
つまり、変更先電話番号「０１２３」は、呼接続サーバＩＤ「＃２」の呼接続サーバ２に記憶されているのでなく、呼接続サーバＩＤ「＃１」の呼接続サーバ２に記憶されているので、呼接続サーバＩＤ「＃２」の呼接続サーバ２が、電話番号「４５６７」の電話端末４の地域に設置され、同じく被災した場合であっても、変更先電話番号「０１２３」の電話端末４に呼を着信させることができる。
【００６６】
なお、電話番号「０１２３」を着信先電話番号とする呼は、通常どおり、電話番号「０１２３」の電話端末４に着信する。また、上記のように、電話番号「４５６７」の電話端末４への呼の着信はできないが、発信は、通常どおり、行ってもよい。
【００６７】
次に、電話番号「０１２３」の電話端末４からの発信について説明する。  
（Ａ）例えば、電話番号「４５６７」の電話端末４のユーザが、電話番号「０１２３」の電話端末４から発信し、電話番号「４５６７」を発信元電話番号としたい場合は、当該電話端末４に対し、所定の操作（例えば、ダイヤル操作）を行う。これにより、当該電話端末４は、この操作が行われたことを、呼接続サーバＩＤ「＃１」の呼接続サーバ２に通知する。
【００６８】
呼接続サーバＩＤ「＃１」の呼接続サーバ２は、この通知を受信しなかったなら、呼の発信元電話番号として、電話番号「０１２３」を設定し、一方、通知を受信したなら、呼の発信元電話番号として、電話番号「０１２３」でなく、電話番号「４５６７」を設定する。よって、呼を着信する電話端末４には、発番号表示機能により、例えば、発信元電話番号として電話番号「４５６７」が表示される。
【００６９】
（Ｂ）または、電話端末４のユーザが、電話番号「０１２３」の電話端末４に対し、電話番号「０１２３」を発信元電話番号としたい場合は、第１の操作を行い、電話番号「４５６７」を発信元電話番号としたい場合は、第２の操作を行い、これにより、当該電話端末４が、操作内容を、呼接続サーバＩＤ「＃１」の呼接続サーバ２に通知する。
【００７０】
呼接続サーバＩＤ「＃１」の呼接続サーバ２は、この通知が、第１の操作が行われたことの通知なら、呼の発信元電話番号を電話番号「０１２３」とし、一方、この通知が、第２の操作が行われたことの通知なら、呼の発信元電話番号を電話番号「４５６７」とする。よって、呼を着信する電話端末４には、発番号表示機能により、例えば、発信元電話番号として電話番号「０１２３」または「４５６７」が表示される。
【００７１】
なお、ここでは、呼の発信元電話番号を２つの電話番号「０１２３」と「４５６７」のどちらかにすることについて説明したが、３つ以上の場合でも、操作内容を通知することで、呼の発信元電話番号を所望の電話番号にすることができる。
【００７２】
また、特段の操作をせず、これにより、通知がない場合は、呼の発信元電話番号を電話番号「０１２３」とし、一方、操作があり、これにより、通知があった場合は、呼の発信元電話番号を、通知内容に応じた電話番号にしてもよい。
【００７３】
また、電話番号「０１２３」、「４５６７」は例であり、他の電話番号であってもよい。
【００７４】
図７は、電話システムにおいて着信設定の変更を解除する動作を示すシーケンス図である。
【００７５】
例えば、電話番号「４５６７」の電話端末４の地域が震災等から復旧し、当該電話端末４のユーザが、親戚宅から戻ってきた場合、電話番号「４５６７」を着信先電話番号とする呼は、従前通り、電話番号「４５６７」の電話端末４に着信させる必要がある。
【００７６】
このような場合、電話番号「４５６７」の電話端末４のユーザは、戻ってきた後に、変更元電話番号「４５６７」を、電話番号「４５６７」の電話端末４に入力する（Ｓ５１）。
【００７７】
電話端末４は、入力された変更元電話番号「４５６７」を含む着信設定変更解除依頼を認証サーバ３に送信する（Ｓ５３）。
【００７８】
認証サーバ３は、認証後、受信した着信設定変更解除依頼を加入者サーバ１に送信する（Ｓ５５）。
【００７９】
加入者サーバ１の加入者サーバデータベース処理部１２は、着信設定変更解除依頼を受信したなら、変更元電話番号を読み出し、加入者サーバデータベース１１から当該変更元電話番号に一致する電話番号を含むレコードを検索し、当該レコード内の一次登録先呼接続サーバＩＤを削除し（Ｓ５７）、当該一次登録先呼接続サーバＩＤの呼接続サーバ２に対し当該着信設定変更解除依頼を送信する（Ｓ５９）。
【００８０】
なお、Ｓ５７では、加入者サーバデータベース処理部１２は、レコードに有効期限が含まれているなら、有効期限を削除する。
【００８１】
呼接続サーバ２の呼接続サーバデータベース更新部２３は、着信設定変更解除依頼を受信したなら、変更元電話番号を読み出し、呼接続サーバデータベース２１から当該変更元電話番号に一致する電話番号を含むレコードを削除し（Ｓ６１）、電話番号「０１２３」の電話端末４に対し、着信設定変更を解除したことを通知する（Ｓ６３）。  
なお、Ｓ４３と同様、Ｓ６３は、実行しなくてもよい。
【００８２】
次に、有効期限に対応する時期が到来した場合の処理について説明する。  
加入者サーバ１の加入者サーバデータベース処理部１２は、有効期限に対応する時期が到来したなら、加入者サーバデータベース１１から当該有効期限を含むレコード内の一次登録先呼接続サーバＩＤと有効期限を削除し、当該一次登録先呼接続サーバＩＤの呼接続サーバ２に対し、当該レコード内の電話番号を変更元電話番号として含む着信設定変更解除依頼を送信する。
【００８３】
呼接続サーバ２の呼接続サーバデータベース更新部２３は、着信設定変更解除依頼を受信したなら、変更元電話番号を読み出し、呼接続サーバデータベース２１から当該変更元電話番号に一致する電話番号を含むレコードを削除し、電話番号「０１２３」の電話端末４に対し、当該電話端末４へ呼を転送する転送設定を解除したことを通知する。
【００８４】
したがって、本実施の形態の電話システムによれば、着信先の変更に関する情報を加入者サーバ１および変更先の呼接続サーバ２（呼接続サーバＩＤ「＃１」の呼接続サーバ２）に保持するので、変更元の呼接続サーバ２（呼接続サーバＩＤ「＃２」の呼接続サーバ２）が被災した場合であっても、呼を変更先の電話端末４（電話番号「０１２３」の電話端末４）に着信させることができる。また、呼は変更元の呼接続サーバ２（呼接続サーバＩＤ「＃２」の呼接続サーバ２）を経由しなくてよいので、着信先の変更に伴う接続遅延時間の伸長、接続経路の無効利用を防止することができる。
【００８５】
また、着信設定変更解除依頼により、または、有効期限の時期が到来した場合には、着信先の変更を解除できるので、被災前のように、呼を変更元の電話端末４に着信させることができる。
【００８６】
また、変更先の電話端末４からであっても、変更元の電話番号を発信元電話番号として発信できるので、変更先の電話端末４を、変更元の電話端末４と同様に使用することができる。
【００８７】
なお、加入者サーバ１や呼接続サーバ２や電話端末４としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００８８】
１  加入者サーバ
２  呼接続サーバ
３  認証サーバ
４  電話端末
１１  加入者サーバデータベース
１２  加入者サーバデータベース処理部
２１  呼接続サーバデータベース
２２  呼制御部
２３  呼接続サーバデータベース更新部
【図１】
2014049927.tif 000003
【図２】
2014049927.tif 000004
【図３】
2014049927.tif 000005
【図４】
2014049927.tif 000006
【図５】
2014049927.tif 000007
【図６】
2014049927.tif 000008
【図７】
2014049927.tif 000009